(57)【要約】【課題】  壁部材である金属製パネルまたは金属製サイディングの表面と出隅部材セットの表面部が面一に仕上げ、しかも、金属製パネルまたは金属製サイディングの端部を切断したり、切断しない場合は、出隅板を大きくしないで金属板表面に釘頭が見えない施工をする。【解決手段】  構築物の外壁における縦張りパネルまたはサイディングを施工する際に使用する出隅部材または入隅部材において、受け部材５とカバー部材を組み合わせてなる出隅セットＡまたは入隅セットＢで、受け部材５の一側にパネルまたはサイディング２の接続嵌合部と略同形状のスターター部３を一体または別体に形成し、他側にパネルまたはサイディング２の張り納め部９を前記受け部材５と一体または別体に形成した納め部１０を具備するスターター付き出隅セットまたはスターター付き入隅セットを用いる。【選択図】図１
2005042444.tif 000002
【特許請求の範囲】
【請求項１】
構築物の外壁における縦張りパネルまたはサイディングを施工する際に使用する出隅部材または入隅部材において、受け部材とカバー部材を組み合わせてなる出隅セットまたは入隅セットで、受け部材の一側にパネルまたはサイディングの接続嵌合部と略同形状のスターター部を一体または別体に形成し、他側にパネルまたはサイディングの張り納め部を前記受け部材と一体または別体に形成した納め部を具備することを特徴とするスターター付き出隅セットまたはスターター付き入隅セット。
【請求項２】
出隅セットまたは入隅セットと、パネルまたはサイディングの接続形状を該パネルまたはサイディングの各間を接合する嵌合部の表面側目地形状と略同形状の目地を出隅カバー部材または入隅カバー部材の両側に形成したことを特徴とする請求項１に記載のスターター付き出隅セットまたはスターター付き入隅セット。
【請求項３】
出隅セットまたは入隅セットにおいて、カバー部材の表面に凸状または凹状またはそれを組み合わせた意匠表面を形成したことを特徴とする請求項１または請求項２に記載のスターター付き出隅セットまたはスターター付き入隅セット。
【請求項４】
出隅セットまたは入隅セットにおいて、カバー部材にエンボス柄や塗装による柄を施したり、またはタイルやプラスチック、天然石等の装飾品を取り付けたことを特徴とする請求項１または請求項２に記載のスターター付き出隅セットまたはスターター付き入隅セット。
【請求項５】
請求項１〜請求項４に記載のいずれか１項のスターター付き出隅セットまたはスターター付き入隅セットの受け部材を、構築物の壁面下地の出隅部または入隅部に先に取り付け、該受け部材に具備するスターター部にパネルまたはサイディングを嵌合して、パネルまたはサイディングによって壁表面を施工し始め、順次壁面を張り上げ、壁面の他端部において、パネルまたはサイディングの幅を切断調整して張り付け、前記受け部材の納め部に巻き付けるか、ネジ釘等で固定して壁面を施工し、しかる後に出隅セットまたは入隅セットのカバー部材を表面側から挿着することを特徴とする出隅または入隅施工方法。
【請求項６】
請求項１〜請求項４に記載のいずれか１項の出隅セットまたは入隅セットの受け部材を、スターター部のみを具備するものとし、他側には、パネルまたはサイディングの切断部を直接に受け部材または構築物下地材にネジ釘等で固着し、カバー部材を該パネルまたはサイディングの表面に重ねることを特徴とする出隅または入隅施工方法。
【発明の詳細な説明】
【技術分野】
【０００１】
本発明は、構築物、建造物における縦方向に嵌合目地ができる外壁・内壁の出隅部、または入隅部の納まりとして、パネルやサイディング、例えば金属製パネルや金属製サイディングの表面と出隅部や入隅部の表面とを面一にでき、しかも該金属製パネルや金属製サイディングの嵌合部の目地形状と略同形状の目地を出隅部や入隅部の両端にできるようにした外観を美しく仕上げることができる一般住宅、集合住宅、非住宅の店舗、倉庫等の外壁・内壁用のスターター付き出隅セットまたはスターター付き入隅セットに関するものである。
【背景技術】
【０００２】
従来、縦張り金属製パネルや金属製サイディングを張って、構築物の出隅や入隅を施工する時には、該金属製パネルや金属製サイディングの端部を切断して直接に構築物に釘等で固定し、その出隅部や入隅部に断面が略Ｌ字型に折り曲げた出隅部材または入隅部材を金属板で覆せてその表面より釘等で構築物に固定していた。また、表面に釘頭が見えないようにするには、図７に示すように該金属製パネルまたは金属製サイディングの表面に重ねて木材等を使って下地材を貼り付けて出隅部（入隅部も同様）を作り、その木材を予め所定の形状に折り曲げた金属板で被せて出隅部を施工していた。
また、構築物の外壁にサイディングを貼る時に出隅材や入隅材の表面に釘打ちしないための方法として出隅材取り付け具が出願されている。出隅材隅部を形成する一対の出隅材側面部の各々の内面に該出隅材隅部側を向いて長手方向に延びる第１及び第２係合面が形成された出隅材を建造物出隅部に取り付けるために使用される出隅材取付具であって、弾性を有する材料で形成されており、上記出隅材隅部に対応した取付具隅部を形成すると共に上記出隅材側面部に対応する一対の取付具側面部からなり、建造物出隅部に固定される取付具本体部と、上記取付具本体部の各取付具側面部の外面に、該取付具側面部の側端側に向かって斜め外向きに延びるように設けられ、上記出隅材側面部の第１係合面に係合当接して該第１係合面を該出隅材側面部の側端側に向かって斜め外向きに押圧する第１係合部と、上記取付具本体部の各取付具側面部の外面に、該取付具側面部から立ち上がったのち折り返されて該取付具側面部の側端側に向かって斜め内向きに延びるように設けられ、上記出隅材側面部の第２係合面に係合当接して該第２係合面を該出隅材側面部の側端側に向かって斜め内向きに押圧する第２係合部と、を備えたことを特徴とする出隅材取付具（例えば、特許文献１参照）が存在している。
【特許文献１】特開２００２−２５０１１０（特許請求の範囲、図１、図２、図８）
【発明の開示】
【発明が解決しようとする課題】
【０００３】
本発明に係る縦張りの壁部材であるパネルまたはサイディング、例えば金属製パネルまたは金属製サイディングにおける出隅部や入隅部の張り始め部、張り納め部を、パネルまたはサイディングの端部を切断加工することなく、スターター部材、納め部材を具備させることにより、パネルとパネル、またはサイディングとサイディングの張り合せ嵌合部の目地形状に略同一形状の目地を出隅や入隅との嵌合部に形成できる出隅セットまたは入隅セットで、次の課題を解決することが目的である。
従来の技術によって金属板表面に釘頭が見えない施工をするには、単に図７に示すように構築物下地材（出隅部）２１において縦張り金属製パネルまたは金属製サイディングの張り始め部２２と張り終り部２３を構築物下地材（出隅部）２１の角度に合致するように切断加工し、この切断部２４を合わせて組み合わせる。これを下地板２５と一緒に固定し、この下地板２５を覆うように出隅部材２６（鉄板の折り曲げ加工品）で張り納めるので、壁部材である金属製パネルまたは金属製サイディングの表面と出隅部材セットの表面部が面一に仕上げることができない。しかも、金属製パネルまたは金属製サイディングの端部を切断したり、切断しない場合は、出隅板を大きくして施工する必要があった。
また、従来技術である特開２００２−２５０１１０号公報に示された出隅材取付具は、確かに強固で且つ高精度な取り付けが可能となるが、出隅専用の部材を構築物の出隅部に固定させるための窯業系の部材でサイディングのスターター部を備えていない。従って、出隅部の両側の目地部はコーキング等で隙間をコーキングする必要がある。
これに対し本発明においては、縦張りのパネルあるいはサイディング、例えば金属製パネルあるいは金属製サイディング（以下、金属製パネル、金属製サイディングを用いて説明する）や、合成樹脂製、窯業系、パネル、サイディングにおける出隅セットまたは入隅セットの受け部材を、構築物の壁面下地の出隅部または入隅部に先に取り付け、該受け部材に具備するスターター部にパネルまたはサイディングを嵌合して、パネルまたはサイディングによって壁表面を施工し始め、順次壁面を張り上げ、壁面の他端部において、パネルまたはサイディングの幅を切断調整して張り付け、前記受け部材の納め部に巻き付けるか、ネジ釘等で固定して壁面を施工し、しかる後に出隅セットまたは入隅セットのカバー部材を表面側から挿着する。このように形成することで外観上、金属製パネルあるいは金属製サイディングの表面と出隅・入隅部材とは面一に仕上げることができ、さらに金属製パネルあるいは金属製サイディングの目地と略同一形状の目地が形成でき、外観形状を美しく仕上げることができる。また、窯業系の外壁の出隅のように目地部をコーキングで納める必要がないものである。
【課題を解決するための手段】
【０００４】
上記課題を解決するための本発明の第１発明は、請求項１に記載された通りの出隅セットまたは入隅セットであり、次のようなものである。
構築物の外壁における縦張りパネルまたはサイディングを施工する際に使用する出隅部材または入隅部材において、受け部材とカバー部材を組み合わせてなる出隅セットまたは入隅セットで、受け部材の一側にパネルまたはサイディングの接続嵌合部と略同形状のスターター部を一体または別体に形成し、他側にパネルまたはサイディングの張り納め部を前記受け部材と一体または別体に形成した納め部を具備する構成である。
【０００５】
上記課題を解決するための本発明の第２発明は、請求項２に記載された通りの出隅セットまたは入隅セットであり、次のようなものである。
請求項１または請求項２に記載された発明に加えて、出隅セットまたは入隅セットと、パネルまたはサイディングの接続形状を該パネルまたはサイディングの各間を接合する嵌合部の表面側目地形状と略同形状の目地を出隅カバー部材または入隅カバー部材の両側に形成した構成である。
【０００６】
上記課題を解決するための本発明の第３発明は、請求項３に記載された通りの出隅セットまたは入隅セットであり、次のようなものである。
請求項１または請求項２に記載された発明に加えて、出隅セットまたは入隅セットにおいて、カバー部材の表面に凸状または凹状またはそれを組み合わせた意匠表面を形成した構成である。
【０００７】
上記課題を解決するための本発明の第４発明は、請求項４に記載された通りの出隅セットまたは入隅セットであり、次のようなものである。
請求項１または請求項２に記載された発明に加えて、出隅セットまたは入隅セットにおいて、カバー部材にエンボス柄や塗装による柄を施したり、またはタイルやプラスチック、天然石等の装飾品を取り付けた構成である。
【０００８】
上記課題を解決するための本発明の第５発明は、請求項５に記載された通りの出隅または入隅施工方法であり、次のようなものである。
請求項１〜請求項４に記載のいずれか１項の出隅セットまたは入隅セットの受け部材を、構築物の壁面下地の出隅部または入隅部に先に取り付け、該受け部材に具備するスターター部にパネルまたはサイディングを嵌合して、パネルまたはサイディングによって壁表面を施工し始め、順次壁面を張り上げ、壁面の他端部において、パネルまたはサイディング幅を切断調整して張り付け、前記受け部材の納め部に巻き付けるか、ネジ釘等で固定して壁面を施工し、しかる後に出隅セットまたは入隅セットのカバー部材を表面側から挿着する構成である。
【０００９】
上記課題を解決するための本発明の第６発明は、請求項６に記載された通りの出隅または入隅施工方法であり、次のようなものである。
請求項１〜請求項４に記載のいずれか１項の出隅セットまたは入隅セットの受け部材を、スターター部のみを具備するものとし、他側には、パネルまたはサイディングの切断部を直接に受け部材または構築物下地材にネジ釘等で固着し、カバー部材を該パネルまたはサイディングの表面に重ねる構成である。
【発明の効果】
【００１０】
本発明に係る出隅セットまたは入隅セットは、上記説明のような構成であるので、以下に記載する効果を奏する。
（１）出隅部・入隅部において、外観上パネルまたはサイディングと表面が面一になるように簡単に仕上げることができる。
（２）パネルまたはサイディングの張り始めの切断加工が不要で施工でき、容易に張り始め、張り納めることが可能である。
（３）パネルまたはサイディングの外観と出隅セットまたは入隅セットとの景観がバランス良くできる。
（４）パネルやサイディングの嵌合目地部の嵌合形状と出隅セットや入隅セットの両側の目地形状を類似の形状に仕上げることができる。
【発明を実施するための最良の形態】
【００１１】
構築物の外壁における縦張りパネルまたはサイディングを施工する際に使用する出隅部材または入隅部材において、受け部材とカバー部材を組み合わせてなる出隅セットまたは入隅セットで、受け部材の一側にパネルまたはサイディングの接続嵌合部と略同形状のスターター部を一体または別体に形成し、他側にパネルまたはサイディングの張り納め部を前記受け部材と一体または別体に形成した納め部を具備する出隅セットまたは入隅セット及び請求項１〜請求項４に記載のいずれか１項の出隅セットまたは入隅セットの受け部材を、構築物の壁面下地の出隅部または入隅部に先に取り付け、該受け部材に具備するスターター部にパネルまたはサイディングを嵌合して、パネルまたはサイディングによって壁表面を施工し始め、順次壁面を張り上げ、壁面の他端部において、パネルまたはサイディングの幅を切断調整して張り付け、前記受け部材の納め部に巻き付けるか、ネジ釘等で固定して壁面を施工し、しかる後に出隅セットまたは入隅セットのカバー部材を表面側から挿着する出隅または入隅施工方法である。
【実施例１】
【００１２】
図１は、本発明に係る出隅セットを用いて出隅部の納まり状態を示す断面図である。図２は、本発明の図１で示す出隅カバーと一体型の凹型スターター出隅受けの斜視図である。図３は、本発明の出隅セットにおける、他の実施例である出隅カバーと一体型の凸型スターター出隅受けの斜視図である。
この実施例では、金属製パネル、金属製サイディング、合成樹脂製パネル、合成樹脂製サイディング、窯業系パネル、窯業系サイディング等各種考えられるが、一例として、金属製サイディングを用いて出隅部を張り納める際の構成を説明する。
図１、図２に示すように、出隅セットＡを用いて出隅部の納まりを示す実施例であり、構築物下地部（出隅部）１に対して、本発明の出隅セットＡは合成樹脂押出し成形品やアルミ等金属押出し加工品で形成したスターター部３と凹結合部４と受け部材５を一体に具備した凹型の一体型スターター出隅受け部材７で、金属製サイディング２の側端の突起部３が挿入できる凹部６を有する出隅受けが形成され、図１に示すように両端部の係止部材８をビス等で固定し、金属製サイディング２の張り始め部９を係合させて張り始める。張り終り部１０は出隅部１の他面に受け部材１１とが一体的に形成される。そしてこの一体型スターター出隅受け部材７の結合部４に結合する凸結合部１２を中心部に形成したＬ字型の樹脂等からなる出隅カバー１３を設け、この出隅カバー１３を覆う金属カバー１４を具備した出隅セットを用意し、張り終り部１０の納めを行う。尚、金属製サイディング２の表面と出隅カバー１３との面を面一にするために、出隅カバー１３の端部が納まるように図１のように面一にするものである。
【００１３】
図３は、本発明の出隅セットＡの他の実施例である出隅カバー１３と一体型スターター出隅受け部材１５からなる出隅セットで、この一体型スターター出隅受け部材１５は、前記図１、図２で示した実施例の一体型スターター出隅受け部材７の張り終り部１０側に設けた受け部材１１を取り除いたもので、その他は図１、図２で示した実施例の出隅セットＡと同一なので詳細な説明は省略する。
【００１４】
また、図１〜図３で示した実施例は、アルミ等金属押出し加工品で形成したものであるが、その他、金属板材を折り曲げて形成する等、同一機能を存する部材を採用するとか、樹脂や木材を加工しても可能である。さらに、窯業押出しの加工品でも可能である。尚、以上の出隅セットまたは入隅セットの材料としては色々考えられることは述べたが、その他にも色彩を変えることでアクセントを付けること等も可能である。さらに角部の形状は、円弧状、面取り、凹凸状を形成する等、外観上のアクセントを付けることもできる。
【００１５】
次に、図４に基づいて入隅セットＢの納めを行う場合について説明する。
前述した出隅セットＡと同様に、この実施例は、入隅部の納まりを示すものでスタータを具備した入隅受け部材１６は合成樹脂や金属製押出し加工品の一体ものの例で、図１の出隅セットＡと同じ金属製サイディング２の入隅部の納め方の一例を示す。金属製サイディング２の張り始めの突起部１７を係合できるように凹部６を形成し、一端部を入隅受け部材１６と構築物下地部（入隅部）１８に固定する。その凹部６に金属製サイディング２の突起部１７を嵌入して張り始めるもので、張り終り部は、パネルまたはサイディングの納め部端部を処理して、異形発泡樹脂棒１９を介して張り終り部を形成するものである。なお、２０は入隅カバーで、この入隅カバー２０を覆うように金属カバー２７が被せてある。その他は前記した出隅部の場合と同一なので詳細な説明は省略する。
【００１６】
図５、図６は、入隅セットＢの他の実施例を示すもので、前記入隅セットＢのスターターを一体型にしたものに替えてスターターを別体で形成したスターター２８を取り付けたもので、その他は前記した図４に示す入隅セットＢの場合と同一なので、詳細な説明は省略する。
【００１７】
以上の出隅セットまたは入隅セットの部材は、合成樹脂、押出し成形品や、金属押出し加工製品であるが、金属の板金加工で作るものは、一般にフォーミングロール成形機を使って表面材は加工するが、プレス折り曲げ成形機で加工するものもある。具体的には、係止部材８、受け部材１１、出隅カバー１３、入隅カバー２０は金属板をフォーミングロール成形や折り曲げて加工することもできるが、金属や樹脂の押出し成形で作成することも可能である。さらに、出隅セットまたは入隅セットの表面の金属カバー１４に金属製サイディング２と同一エンボス加工を施すことも可能である。
【産業上の利用可能性】
【００１８】
前記一般住宅等の壁面の出隅部または入隅部だけでなく、フェンスや鉄筋コンクリート作りの建物の外壁・内壁の仕上げ、及びこの外壁・内壁のリフォームに利用できる。
【図面の簡単な説明】
【００１９】
【図１】本発明の構築物における金属製サイディング等の出隅部の納め方を示す１実施例の断面図である。
【図２】本発明の図１で示す出隅受け部材と出隅カバーを分解した状態を示す出隅セットＡの斜視図である。
【図３】本発明の他の実施例の出隅受け部材と、出隅カバーを分解した状態を示す出隅セットＡの斜視図である。
【図４】本発明の構築物における金属製サイディング等の入隅部の納め方を示す１実施例の断面図である。
【図５】本発明の構築物における金属製サイディング等の入隅部の納め方を示す他の実施例の断面図である。
【図６】本発明の図５で示す入隅受け部材と入隅カバーを分解した状態を示す入隅セットＢの斜視図である。
【図７】従来の構築物における金属製サイディング等の出隅部の納め方を示す出隅セットＢ断面図である。
【符号の説明】
【００２０】
１‥‥構築物下地材（出隅部）                ２‥‥金属製サイディング
３・・・・スターター部                          ４・・・・凹結合部
５・・・・受け部材                              ６・・・・凹部
７・・・・一体型スターター出隅受け部材          ８・・・・係止部材
９・・・・張り始め部                          １０・・・・張り終り部
１１・・・・受け部材                            １２・・・・凸結合部
１３・・・・出隅カバー                          １４・・・・金属カバー
１５・・・・一体型スターター出隅受け部材        １６・・・・入隅受け部材
１７・・・・凸起部                              １８・・・・構築物下地材（入隅部）
１９・・・・異形発泡樹脂棒                      ２０・・・・入隅カバー
２１・・・・構築物下地材（出隅部）              ２２・・・・張り始め部
２３・・・・張り終り部                          ２４・・・・切断部
２５・・・・下地板                              ２６・・・・出隅部材
２７・・・・金属カバー                          ２８・・・・別体型スターター
Ａ・・・・出隅セット                            Ｂ・・・・入隅セット
【図１】
2005042444.tif 000003
【図２】
2005042444.tif 000004
【図３】
2005042444.tif 000005
【図４】
2005042444.tif 000006
【図５】
2005042444.tif 000007
【図６】
2005042444.tif 000008
【図７】
2005042444.tif 000009